(57)【要約】      （修正有）【課題】接続配線の複雑化及び画像データを入力するための負荷の増大を防止することのできる画像記録ヘッドの提供。【解決手段】シリアル画像データを入力する役割と出力する役割を有する２つのパッド８０、８６と、当該パッド８０、８６の何れか一方を介して入力されたシリアル画像データを他方のパッドを介して出力すると共に、シリアル画像データを複数の記録素子２２を駆動させるためのパラレル信号に変換する変換回路４０と、各パッド８０及び８６と変換回路４０の間に接続された入出力回路８２及び８４と、を備えると共に、変換回路４０を、シリアル画像データの転送方向を一方の方向に選択的に設定可能に構成し、かつ入出力回路８２及び８４を、入力されたシリアル画像データを変換回路４０に入力させる役割と変換回路４０から出力されたシリアル画像データを出力させる役割の２つの役割を有し、当該２つの役割の何れか一方を選択的に設定可能に構成する。【選択図】図１
2005199460.tif 000002
【特許請求の範囲】
【請求項１】
一列に配列された複数の記録素子を駆動させることによって当該一列分の画像の記録を一括して行うと共に、複数個カスケード接続することによって単体で用いた場合より幅の広い画像の記録を一括して行うことのできる画像記録ヘッドであって、
各々記録する画像を示すシリアル画像データを入力する役割と当該シリアル画像データを出力する役割の２つの役割を有する２つの入出力部と、
前記入出力部の何れか一方を介して入力された前記シリアル画像データのシリアル転送を行い他方の前記入出力部を介して出力すると共に、当該シリアル転送を行うことによって前記シリアル画像データを前記複数の記録素子を個別に駆動させるためのパラレル信号に変換して対応する前記記録素子側に供給するものとして構成され、かつ前記シリアル画像データの転送方向を一方向及び当該一方向の逆方向の何れか一方の方向に選択的に設定可能に構成された変換回路と、
一方の前記入出力部と前記変換回路の間に接続されると共に、当該入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第１の入出力回路と、
他方の前記入出力部と前記変換回路の間に接続されると共に、当該入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第２の入出力回路と、
を備えた画像記録ヘッド。
【請求項２】
前記変換回路は、各々前記複数の記録素子に対応すると共に直列接続された複数のシフトレジスタによって前記シリアル画像データのシリアル転送を行う
請求項１記載の画像記録ヘッド。
【請求項３】
前記複数のシフトレジスタを双方向転送可能なものとした
請求項２記載の画像記録ヘッド。
【請求項４】
前記変換回路における前記シリアル画像データの転送方向の初期状態を設定する設定回路
を更に備えた請求項１乃至請求項３の何れか１項記載の画像記録ヘッド。
【請求項５】
前記記録素子を、インクを吐出させることにより画像を記録するものとした
請求項１乃至請求項４の何れか１項記載の画像記録ヘッド。
【請求項６】
請求項１乃至請求項５の何れか１項に記載の画像記録ヘッドを、前記入出力部を介して複数個カスケード接続して構成した統合記録ヘッドと、
前記複数個の画像記録ヘッドにおける前記シリアル画像データの転送方向が同一方向となるように各画像記録ヘッドの前記変換回路における前記シリアル画像データの転送方向と、前記第１の入出力回路及び前記第２の入出力回路の役割と、を設定する転送方向設定手段と、
前記転送方向設定手段により設定された前記シリアル画像データの転送方向の最上流に位置する前記画像記録ヘッドのカスケード接続されていない前記入出力部に対して前記シリアル画像データを入力する画像入力手段と、
を備えた画像記録装置。
【発明の詳細な説明】
【技術分野】
【０００１】
本発明は、画像記録ヘッド及び画像記録装置に係り、より詳しくは、一列に配列された複数の記録素子を駆動させることによって当該一列分の画像の記録を一括して行うと共に、複数個カスケード接続することによって単体で用いた場合より幅の広い画像の記録を一括して行うことのできる画像記録ヘッド及び当該画像記録ヘッドを複数個カスケード接続して用いて画像を記録する画像記録装置に関する。
【背景技術】
【０００２】
近年、複数の記録素子を一列に配列して１つの記録ヘッドを構成し、当該記録ヘッドに対してシリアルデータとして入力された画像データをパラレルデータに変換して画像の記録（印刷）を行う画像記録装置が知られている。この種の画像記録装置によれば、複数の記録素子を同時に用いて画像を記録することができるため、高速な画像記録が実現できる。
【０００３】
従来、この種の画像記録装置に関する技術として以下に示すものがあった。
【０００４】
まず、特許文献１には、ヘッド駆動装置をコントロールするために必要な信号線数を削減することを目的として、印字データの先頭に１ビットのハイ・データを付加したシリアルデータを入力する入力端子と、当該入力端子から入力したシリアルデータを取込んで順次シフトするｎビットシフトレジスタと、前記入力端子から入力したシリアルデータのうちの先頭のハイ・データを起点として印字データ数をカウントするカウンタを有する印字データ数制御回路と、前記カウンタによるカウントが終了したところでシフトレジスタの印字データをラッチするｎビットラッチと、このラッチからの印字データにより駆動波形を出力して記録ヘッドを駆動する回路と、を設けた技術が開示されている。
【０００５】
また、特許文献２には、記録ヘッドと装置との接続端子数を低減し、記録ヘッドや装置の小型化を図ることを目的として、インクを吐出するための熱を発生する複数の記録素子で構成され、複数色の記録を行うためにインクの色に対応してそれぞれ離間して配された複数の記録素子群と、前記記録素子を駆動するための駆動用集積回路とが作り込まれた記録ヘッド用半導体チップと、当該半導体チップ上に配され、インクを分離するためにインクの色に対応して互いに離間して配置されると共に、前記記録素子群に対応して配置された複数の吐出口群と、を有する記録ヘッドであって、前記記録ヘッド用半導体チップの前記駆動用集積回路を、複数色に対応した画像データがシリアルに配列されたシリアル画像データを受け、各色の前記記録素子群側へパラレル信号として出力する回路とした技術が開示されている。
【０００６】
また、特許文献３には、インクジェット記録ヘッド用の半導体チップ（基板）の小型化を実現することを目的として、インクを吐出するために一列に配された複数の電気熱変換素子と、当該電気熱変換素子を駆動するために用いられる画像信号を受け取るための電気的接点と、前記電気熱変換素子に対応して設けられ、当該電気熱変換素子を選択的に駆動するための複数の選択駆動素子と、前記電気的接点に電気的に接続され、当該電気的接点を介して受け取ったシリアル画像信号をパラレル画像信号に変換する回路と、変換されたパラレル画像信号を一時保持し前記選択駆動素子に供給する回路とを有する論理回路とが同一半導体チップ内に設けられたインクジェット記録ヘッド用半導体チップであって、前記電気熱変換素子と前記選択駆動素子と前記論理回路とを前記半導体チップ内の一方から他方に向かって順に配し、前記選択駆動素子を電気熱変換素子の配列方向に前記電気熱変換素子と実質的に同じ周期で配した技術が開示されている。
【０００７】
更に、特許文献４には、高密度マルチノズル化した場合における配線の複雑化、装置の大型化、コストアップ、及び信頼性の低下を防止することを目的として、吐出口からインクを吐出させるために配列された複数の発熱抵抗素子と、当該発熱抵抗素子に電気的に接続され当該発熱抵抗素子を選択的に駆動するための機能素子と、シリアル画像データを受け取って前記機能素子にパラレル信号として出力する集積回路とを有し、前記発熱抵抗素子と機能素子と集積回路とが共に作り込まれた半導体基板を複数配列したインクジェット記録ヘッドであって、前記集積回路を、前記受け取ったシリアル画像データを前記機能素子にパラレル信号として出力すると共に、隣接配置された前記半導体基板に対してシリアルに画像データを出力する回路とし、前記半導体基板に、外部からシリアル画像データを受け取って前記集積回路に供給する信号入力部と、当該集積回路から出力されるシリアル画像データを前記隣接配置された基板に出力する信号出力部とを設けた技術が開示されている。
【０００８】
ところで、通常、記録用紙の紙幅サイズに対応したサイズの記録ヘッドを構成する場合、当該記録ヘッドを一体的に構成することは困難であるため、複数個の記録ヘッドを並べて配置することで実現することが多い。例えば、定形Ａ４サイズ（約１２インチ幅）の記録ヘッドを構成する場合、１インチ幅程度に対応する記録ヘッドを１２個並べて配置することで実現させる。なお、この複数個の記録ヘッドを並べて配置することにより実現された記録ヘッドを、以下では「ＦＷＡ（Full Width Array）記録ヘッド」ともいう。
【０００９】
この場合の複数個の記録ヘッドの配置方法には多くの種類が存在するが、図９（Ａ）に示す千鳥配置や、図９（Ｂ）に示す斜め配置は、配置面積が比較的小さくて済むことから、ＦＷＡ記録ヘッドのサイズを小さくできる点でコスト上のメリットがある。
【００１０】
そして、以上のような複数個の記録ヘッドを千鳥配置したり、斜め配置することにより構成されるＦＷＡ記録ヘッドに対して、上述した各特許文献に記載されている記録ヘッドを適用した場合、各記録ヘッドをカスケード接続することができることから、画像データの入力に要する配線数を低減することができ、コスト上のメリットが得られることになる。
【００１１】
なお、上記のように、複数個の記録ヘッドを用紙幅方向に直線状には配置せずに千鳥配置するのは、複数個をカスケード接続して用いることが前提とされた記録ヘッドでは、通常、両端部に画像データの入出力用のパッドが設けられるため、用紙幅方向に隣接配置された記録ヘッド間の隣接する記録素子の間の距離が記録ヘッド内の隣接する記録素子の間の距離より著しく長くなってしまい、この結果、記録画像の画質が劣化してしまうことを防止するためである。その一方で、記録ヘッドを千鳥配置した場合には、隣接配置された各記録ヘッド間の記録素子の用紙幅方向に直交する方向の距離については離間することになるが、これについては画像処理によって或る程度の対処は可能である。
【特許文献１】特開２０００−１４１７６５公報
【特許文献２】特許第３１７６１３６号公報
【特許文献３】特許第３１７６１３４号公報
【特許文献４】特許第３２０００９８号公報
【発明の開示】
【発明が解決しようとする課題】
【００１２】
ところで、ＦＷＡ記録ヘッドを、入力されたシリアル画像データをパラレル信号に変換する変換回路として、記録素子と同数のシフトレジスタを直列接続して構成された変換回路を用いた複数個の記録ヘッドを千鳥配置して構成する場合、一例として図１０に示すように、１種類の記録ヘッド１０２を、上下方向を交互に入れ替えた状態で用紙幅方向に沿って複数個配置することが一般的である。これは、上記の画像処理を行うにしても、各記録ヘッド１０２に設けられた記録素子１０４の各記録ヘッド１０２間の距離ｄをできるだけ小さくした方が記録画像の画質の面で有利であるためと、全ての記録ヘッド１０２で共通のＦＰＣ（Flexible Printed Circuit）を用いることができることから製造コストの面で有利であるためである。
【００１３】
しかしながら、このように複数個の記録ヘッドを千鳥配置して構成するＦＷＡ記録ヘッドに対して上述した各特許文献に記載されている記録ヘッドを適用した場合、各記録ヘッド間の接続配線が複雑になると共に、画像データを入力するための負荷が大きくなる、という問題点があった。
【００１４】
すなわち、一例として図１０に示されるように、この場合、隣接配置された各記録ヘッド１０２間でシリアル画像データの転送方向が逆方向となるため、最終段以外の各記録ヘッド１０２における最終段のシフトレジスタ１０６と次段の記録ヘッド１０２の１段目のシフトレジスタとの間の距離が長くなってしまう結果、接続配線が複雑となってしまう。このように、各記録ヘッド間の接続配線が複雑になる結果、配線コストが増大する、といった問題や、信号遅延が増大して、上記変換回路をシフトレジスタの直列回路で構成した場合における各シフトレジスタの高速駆動が困難になる、といった問題が生じることになる。
【００１５】
一方、一例として図１０に示されるように、この場合、システム側からＦＷＡ記録ヘッド１００に対して画像データをシリアルに入力する際に、同図上段側に配置された２つの記録ヘッド１０２に対しては画像データを逆転方向に再配置し直して入力する必要があり、画像データを入力するための負荷が著しく増大してしまう。すなわち、図１０に示されるＦＷＡ記録ヘッド１００における同図左端の記録素子１０４から同図右端側に近づくに従って順に‘１’，‘２’，・・・‘４０９６’と昇順に記録素子番号を付した場合、１，２，・・・，１０２３，１０２４，２０４８，２０４７，・・・，１０２６，１０２５，２０４９，２０５０・・・という記録素子番号の順に画像データを再配置して入力する必要がある。
【００１６】
本発明は上記問題点を解消するためになされたものであり、複数個カスケード接続した場合における接続配線の複雑化及び画像データを入力するための負荷の増大を防止することのできる画像記録ヘッドを提供することを第１の目的とし、画像記録ヘッドに対して画像データを入力する際の負荷の増大を防止することのできる画像記録装置を提供することを第２の目的とする。
【課題を解決するための手段】
【００１７】
上記目的を達成するために、請求項１記載の画像記録ヘッドは、一列に配列された複数の記録素子を駆動させることによって当該一列分の画像の記録を一括して行うと共に、複数個カスケード接続することによって単体で用いた場合より幅の広い画像の記録を一括して行うことのできる画像記録ヘッドであって、各々記録する画像を示すシリアル画像データを入力する役割と当該シリアル画像データを出力する役割の２つの役割を有する２つの入出力部と、前記入出力部の何れか一方を介して入力された前記シリアル画像データのシリアル転送を行い他方の前記入出力部を介して出力すると共に、当該シリアル転送を行うことによって前記シリアル画像データを前記複数の記録素子を個別に駆動させるためのパラレル信号に変換して対応する前記記録素子側に供給するものとして構成され、かつ前記シリアル画像データの転送方向を一方向及び当該一方向の逆方向の何れか一方の方向に選択的に設定可能に構成された変換回路と、一方の前記入出力部と前記変換回路の間に接続されると共に、当該入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第１の入出力回路と、他方の前記入出力部と前記変換回路の間に接続されると共に、当該入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第２の入出力回路と、を備えている。
【００１８】
請求項１記載の画像記録ヘッドは、各々記録する画像を示すシリアル画像データを入力する役割と当該シリアル画像データを出力する役割の２つの役割を有する２つの入出力部を備えている。この２つの入出力部が、前述した‘画像データの入出力用のパッド’に相当する。
【００１９】
また、本発明では、変換回路により、前記入出力部の何れか一方を介して入力された前記シリアル画像データのシリアル転送が行われ他方の前記入出力部を介して出力されると共に、当該シリアル転送を行うことによって前記シリアル画像データが複数の記録素子を個別に駆動させるためのパラレル信号に変換されて対応する記録素子側に供給される。ここで、本発明の変換回路は、前記シリアル画像データの転送方向を一方向及び当該一方向の逆方向の何れか一方の方向に選択的に設定可能に構成されている。
【００２０】
そして、本発明では、一方の前記入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第１の入出力回路が当該入出力部と前記変換回路の間に接続される。
【００２１】
更に、本発明では、他方の前記入出力部（第１の入出力回路が接続されていない入出力部）を介して入力された前記シリアル画像データを前記変換回路に入力させる役割と前記変換回路から出力された前記シリアル画像データを当該入出力部を介して出力させる役割の２つの役割を有し、当該２つの役割の何れか一方が選択的に設定可能に構成された第２の入出力回路が当該入出力部と前記変換回路の間に接続される。
【００２２】
以上のように画像記録ヘッドを構成することにより、当該画像記録ヘッドを複数個カスケード接続して用いる場合には、当該複数個の画像記録ヘッドにおけるシリアル画像データの転送方向が同一方向となるように各画像記録ヘッドの変換回路におけるシリアル画像データの転送方向と、第１の入出力回路及び第２の入出力回路の役割と、を設定することにより、各画像記録ヘッド間の互いに隣接する入出力部を接続することでカスケード接続することが可能になると共に、画像データを再配置し直すことなく入力することが可能となり、当該カスケード接続における接続配線の複雑化及び画像データを入力するための負荷の増大を防止することができる。
【００２３】
このように、請求項１記載の画像記録ヘッドによれば、各々記録する画像を示すシリアル画像データを入力する役割と当該シリアル画像データを出力する役割の２つの役割を有する２つの入出力部と、前記入出力部の何れか一方を介して入力された前記シリアル画像データのシリアル転送を行い他方の前記入出力部を介して出力すると共に、当該シリアル転送を行うことによって前記シリアル画像データを複数の記録素子を個別に駆動させるためのパラレル信号に変換して対応する前記記録素子側に供給するものとして構成された変換回路と、一方の前記入出力部と前記変換回路の間に接続された第１の入出力回路と、他方の前記入出力部と前記変換回路の間に接続された第２の入出力回路と、を備えると共に、前記変換回路を、前記シリアル画像データの転送方向を一方向及び当該一方向の逆方向の何れか一方の方向に選択的に設定可能に構成し、かつ前記第１の入出力回路及び前記第２の入出力回路を、接続された入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方を選択的に設定可能に構成したので、複数個カスケード接続した場合における接続配線の複雑化及び画像データを入力するための負荷の増大を防止することができる。
【００２４】
なお、本発明の変換回路は、請求項２に記載の発明のように、各々前記複数の記録素子に対応すると共に直列接続された複数のシフトレジスタによって前記シリアル画像データのシリアル転送を行うものとすることができる。
【００２５】
また、この場合、請求項３に記載の発明のように、前記複数のシフトレジスタを双方向転送可能なものとすることが好ましい。これにより、変換回路の構成を単純化することができる。なお、請求項２に記載の発明における複数のシフトレジスタとしては、この他、一方向のみに転送可能なものを適用することもできるが、この場合は、シリアル画像データを一方向に転送させるシフトレジスタ群と、シリアル画像データを一方向の逆方向に転送させるシフトレジスタ群の２つのシフトレジスタ群を用意しておき、何れか一方のシフトレジスタ群を選択的に適用する等、変換回路の構成が複雑化することになる。
【００２６】
また、本発明は、請求項４に記載の発明のように、前記変換回路における前記シリアル画像データの転送方向の初期状態を設定する設定回路を更に備えることが好ましい。これにより、本発明の画像記録ヘッドをカスケード接続して用いる場合に、カスケード接続後の各画像記録ヘッドにおけるシリアル画像データの転送方向の初期状態を予め同一方向に揃えておくことによって、当該カスケード接続された画像記録ヘッドによるシリアル画像データの転送方向を単一の信号のみによって逆転させることができるようになる。
【００２７】
なお、本発明は、請求項５に記載の発明のように、前記記録素子を、インクを吐出させることにより画像を記録するものとすることができる。この場合の記録素子としては、ピエゾ駆動の画像記録装置に本発明の画像記録ヘッドを用いる場合のピエゾ素子や、サーマル式の画像記録装置に本発明の画像記録ヘッドを用いる場合のヒータ素子等を例示することができる。
【００２８】
一方、上記第２の目的を達成するために、請求項６記載の画像記録装置は、請求項１乃至請求項５の何れか１項に記載の画像記録ヘッドを、前記入出力部を介して複数個カスケード接続して構成した統合記録ヘッドと、前記複数個の画像記録ヘッドにおける前記シリアル画像データの転送方向が同一方向となるように各画像記録ヘッドの前記変換回路における前記シリアル画像データの転送方向と、前記第１の入出力回路及び前記第２の入出力回路の役割と、を設定する転送方向設定手段と、前記転送方向設定手段により設定された前記シリアル画像データの転送方向の最上流に位置する前記画像記録ヘッドのカスケード接続されていない前記入出力部に対して前記シリアル画像データを入力する画像入力手段と、を備えている。
【００２９】
請求項６記載の画像記録装置は、本発明の画像記録ヘッドを、前記入出力部を介して複数個カスケード接続して構成した統合記録ヘッドを備えている。
【００３０】
ここで、本発明では、転送方向設定手段により、前記複数個の画像記録ヘッドにおける前記シリアル画像データの転送方向が同一方向となるように各画像記録ヘッドの前記変換回路における前記シリアル画像データの転送方向と、前記第１の入出力回路及び前記第２の入出力回路の役割と、が設定され、画像入力手段により、前記転送方向設定手段によって設定された前記シリアル画像データの転送方向の最上流に位置する前記画像記録ヘッドのカスケード接続されていない前記入出力部に対して前記シリアル画像データが入力される。
【００３１】
このように、請求項６記載の画像記録装置によれば、本発明の画像記録ヘッドを、入出力部を介して複数個カスケード接続して構成した統合記録ヘッドを備えると共に、当該複数個の画像記録ヘッドにおけるシリアル画像データの転送方向が同一方向となるように各画像記録ヘッドの変換回路におけるシリアル画像データの転送方向と、第１の入出力回路及び第２の入出力回路の役割と、を設定し、かつ設定したシリアル画像データの転送方向の最上流に位置する画像記録ヘッドのカスケード接続されていない入出力部に対してシリアル画像データを入力しているので、当該シリアル画像データを再配置し直すことなく入力することができ、画像記録ヘッドに対して画像データを入力する際の負荷の増大を防止することができる。
【発明の効果】
【００３２】
本発明に係る画像記録ヘッドによれば、各々記録する画像を示すシリアル画像データを入力する役割と当該シリアル画像データを出力する役割の２つの役割を有する２つの入出力部と、前記入出力部の何れか一方を介して入力された前記シリアル画像データのシリアル転送を行い他方の前記入出力部を介して出力すると共に、当該シリアル転送を行うことによって前記シリアル画像データを複数の記録素子を個別に駆動させるためのパラレル信号に変換して対応する前記記録素子側に供給するものとして構成された変換回路と、一方の前記入出力部と前記変換回路の間に接続された第１の入出力回路と、他方の前記入出力部と前記変換回路の間に接続された第２の入出力回路と、を備えると共に、前記変換回路を、前記シリアル画像データの転送方向を一方向及び当該一方向の逆方向の何れか一方の方向に選択的に設定可能に構成し、かつ前記第１の入出力回路及び前記第２の入出力回路を、接続された入出力部を介して入力された前記シリアル画像データを前記変換回路に入力させる役割と前記変換回路から出力された前記シリアル画像データを当該入出力部を介して出力させる役割の２つの役割を有し、当該２つの役割の何れか一方を選択的に設定可能に構成したので、複数個カスケード接続した場合における接続配線の複雑化及び画像データを入力するための負荷の増大を防止することができる、という効果が得られる。
【００３３】
また、本発明に係る画像記録装置によれば、本発明の画像記録ヘッドを、入出力部を介して複数個カスケード接続して構成した統合記録ヘッドを備えると共に、当該複数個の画像記録ヘッドにおけるシリアル画像データの転送方向が同一方向となるように各画像記録ヘッドの変換回路におけるシリアル画像データの転送方向と、第１の入出力回路及び第２の入出力回路の役割と、を設定し、かつ設定したシリアル画像データの転送方向の最上流に位置する画像記録ヘッドのカスケード接続されていない入出力部に対してシリアル画像データを入力しているので、当該シリアル画像データを再配置し直すことなく入力することができ、画像記録ヘッドに対して画像データを入力する際の負荷の増大を防止することができる、という効果が得られる。
【発明を実施するための最良の形態】
【００３４】
以下、図面を参照して、本発明を実施するための最良の形態について詳細に説明する。なお、ここでは、本発明に係る画像記録ヘッドを、ピエゾ素子を駆動させてインク液滴を吐出することによって画像を記録するインクジェット記録ヘッドに適用した場合について説明する。
【００３５】
まず、図１を参照して、本実施の形態に係るインクジェット記録ヘッド１０の構成を説明する。
【００３６】
同図に示すように、本実施の形態に係るインクジェット記録ヘッド１０は、一列に配列された複数（本実施の形態では１０２４個）の記録素子２２及び当該記録素子２２と同数のドライバ２４を含んで構成された記録素子ドライバ回路２０と、上記記録素子２２と同数のプリドライバ３２を含んで構成されたプリドライバ回路３０と、上記記録素子２２と同数のラッチ４２及びシフトレジスタ４４を含んで構成された変換回路４０と、２つの入出力回路８２、８４と、２つのパッド８０、８６と、を備えている。
【００３７】
なお、本実施の形態に係るインクジェット記録ヘッド１０は、上述したように、ピエゾ素子を駆動させてインク液滴を吐出することによって画像を記録するものであり、上記記録素子２２としてピエゾ素子が用いられている。また、本実施の形態では、上記ドライバ２４として伝送ゲートが、プリドライバ３２として２入力ＡＮＤゲートが、各々用いられている。更に、本実施の形態に係る入出力回路８２、８４は、データの転送方向が一方向及び当該一方向とは逆方向の双方向転送が可能とされており、各入出力回路８２、８４には、各々２つの入出力端子が備えられている。
【００３８】
一方、インクジェット記録ヘッド１０は、後述するイネーブル信号を発生するイネーブル信号発生回路５０と、後述するセレクト信号を発生する駆動方向選択回路６０と、変換回路４０における画像データの転送方向の初期状態を設定するための駆動方向デフォルト設定・保存回路７０と、を備えている。
【００３９】
記録素子ドライバ回路２０に設けられた各記録素子２２の一方の端子は基準電圧ＨＶＤＤを供給するための電源ラインに接続されており、他方の端子は対応するドライバ２４の一方の端子に接続されている。ここで、各ドライバ２４の他方の端子は接地されている。
【００４０】
また、ドライバ２４のゲート制御端子は、一方の入力端子がイネーブル信号発生回路５０の対応するイネーブル信号を出力する出力端子に接続されると共に他方の入力端子が対応するラッチ４２の出力端子に接続された、対応するプリドライバ３２の出力端子に接続されている。
【００４１】
従って、各記録素子２２は、イネーブル信号がハイ・レベルとされた状態で、対応するラッチ４２からの出力信号に応じて駆動することができる。
【００４２】
一方、変換回路４０において各シフトレジスタ４４は直列接続されており、最終段以外の各シフトレジスタ４４の出力端子は対応するラッチ４２及び次段のシフトレジスタ４４の入力端子に各々接続されている。また、最終段のシフトレジスタ４４の出力端子は入出力回路８４の一方の入出力端子に、１段目のシフトレジスタ４４の入力端子は入出力回路８２の一方の入出力端子に、各々接続されている。
【００４３】
また、入出力回路８２の他方の入出力端子はパッド８０に、入出力回路８４の他方の入出力端子はパッド８６に、各々接続されている。
【００４４】
また、駆動方向選択回路６０のセレクト信号を出力する出力端子は各シフトレジスタ４４及び入出力回路８２、８４に設けられた後述するセレクト端子ＳＥＬに接続されている。
【００４５】
そして、駆動方向選択回路６０には駆動方向デフォルト設定・保存回路７０の出力端子が接続されている。
【００４６】
なお、本実施の形態に係るシフトレジスタ４４及び入出力回路８２、８４は双方向にデータの転送が可能に構成されているが、図１では、錯綜を回避するために、シフトレジスタ４４及び入出力回路８２、８４において転送されるデータの転送方向を示す矢印を同図右側から左側へ向けた一方向のみで図示されているが、実際には、当該矢印が逆方向となる場合もある。
【００４７】
次に、以上のように構成されたインクジェット記録ヘッド１０の本発明に特に関係する部分の構成について詳細に説明する。まず、図２及び図３を参照して、変換回路４０における各シフトレジスタ４４の構成及び接続状態について説明する。
【００４８】
図２に示すように、本実施の形態に係るシフトレジスタ４４は、セレクト端子ＳＥＬ、２つの入力端子Ｉ１、Ｉ２、及び出力端子ＯＵＴを備えている。
【００４９】
本実施の形態に係るシフトレジスタ４４は、図３に示すように、２入力１出力のセレクタ４４Ａ、４つのインバータ４４Ｂ〜４４Ｅ、及び４つの伝送ゲート４４Ｆ〜４４Ｉを含んで構成された双方向シフトレジスタとされており、セレクト端子ＳＥＬに入力されたセレクト信号の状態に応じてセレクタ４４Ａから選択的に出力された入力端子Ｉ１又は入力端子Ｉ２から入力されたデータを、クロック端子ＣＬＫから入力されたクロック信号に同期して出力端子ＯＵＴに向けて転送するものである。なお、このように構成されたシフトレジスタは従来既知のものであるので、これ以上のここでの説明は省略する。
【００５０】
変換回路４０では、図２に示すように、最終段以外の各シフトレジスタ４４の出力端子ＯＵＴが次段のシフトレジスタ４４の入力端子Ｉ１に接続され、１段目以外のシフトレジスタ４４の出力端子ＯＵＴが前段のシフトレジスタ４４の入力端子Ｉ２に接続される。
【００５１】
また、最終段のシフトレジスタ４４の出力端子ＯＵＴ及び入力端子Ｉ２が入出力回路８４のパッド８６には接続されていない側の入出力端子に接続されており、１段目のシフトレジスタ４４の入力端子Ｉ１及び出力端子ＯＵＴが入出力回路８２のパッド８０には接続されていない側の入出力端子に接続されている。
【００５２】
更に、各シフトレジスタ４４のセレクト端子ＳＥＬは駆動方向選択回路６０に接続されており、当該駆動方向選択回路６０から共通のセレクト信号が入力される。
【００５３】
このように構成された変換回路４０では、駆動方向選択回路６０から入力されるセレクト信号がハイ・レベルであるのか、ロー・レベルであるのかに応じて、データの転送方向を一括して切り換えることができる。
【００５４】
次に、図４を参照して、入出力回路８２の構成について説明する。
【００５５】
同図に示すように、本実施の形態に係る入出力回路８２は、２つのバッファ８２Ａ及び８２Ｂと、２つの伝送ゲート８２Ｃ及び８２Ｄと、インバータ８２Ｅと、２つの入出力端子ＩＯと、セレクト端子ＳＥＬと、を備えている。
【００５６】
バッファ８２Ａの入力端子は一方の入出力端子ＩＯに接続されており、出力端子は伝送ゲート８２Ｄを介して他方の入出力端子ＩＯに接続されている。また、バッファ８２Ｂの入力端子は上記他方の入出力端子ＩＯに接続されており、出力端子は伝送ゲート８２Ｃを介して上記一方の入出力端子ＩＯに接続されている。
【００５７】
また、セレクト端子ＳＥＬはインバータ８２Ｅを介して伝送ゲート８２Ｃの制御入力端子に接続されると共に、伝送ゲート８２Ｄの制御入力端子に直接接続されている。
【００５８】
そして、上記一方の入出力端子ＩＯは変換回路４０における１段目のシフトレジスタ４４の入力端子Ｉ１及び出力端子ＯＵＴに接続されると共に、上記他方の入出力端子ＩＯはパッド８０に接続されている。
【００５９】
このように構成された入出力回路８２では、セレクト端子ＳＥＬに入力されたセレクト信号がハイ・レベルであるのか、ロー・レベルであるのかに応じて、各入出力端子ＩＯ間のデータの転送方向を切り換えることができる。
【００６０】
なお、入出力回路８４の構成は入出力回路８２と同一であり、一方の入出力端子ＩＯの接続先がパッド８６となり、他方の入出力端子ＩＯの接続先が変換回路４０における最終段のシフトレジスタ４４の出力端子ＯＵＴ及び入力端子Ｉ２となる点以外については入出力回路８２と同一であるので、ここでの説明は省略する。
【００６１】
次に、図５を参照して、駆動方向デフォルト設定・保存回路７０の構成について説明する。
【００６２】
同図に示すように、本実施の形態に係る駆動方向デフォルト設定・保存回路７０は、ヒューズ素子７０Ａと、抵抗７０Ｂと、ＦＥＴ（電界効果トランジスタ）７０Ｃと、入力端子及び出力端子と、を備えている。
【００６３】
ヒューズ素子７０Ａの一方の端子は基準電圧ＶＤＤを供給するための電源ラインに接続されており、他方の端子は抵抗７０Ｂを介して接地されている。また、入力端子はＦＥＴ７０Ｃのゲート端子に接続されており、当該ＦＥＴ７０Ｃのソース端子は抵抗７０Ｂのヒューズ７０Ａに接続されている側の端子に接続されると共に出力端子に接続されている。一方、ＦＥＴ７０Ｃのドレイン端子は接地されている。なお、本実施の形態では、抵抗７０Ｂとして抵抗値が１００ｋΩのものを適用している。
【００６４】
以上のように構成された駆動方向デフォルト設定・保存回路７０では、入力端子にハイ・レベルの信号が入力（印加）されることにより、上記電源ライン、ヒューズ素子７０Ａ、ＦＥＴ７０Ｃ、グランドの順に所定電流値（本実施の形態では、約２０ｍＡ）の電流が流れてヒューズ素子７０Ａが切断される。従って、この場合、電源ラインに基準電圧ＶＤＤが供給された状態で出力端子からロー・レベルの信号が出力される。
【００６５】
これに対し、入力端子がロー・レベルとされている場合には、上記電源ライン、ヒューズ素子７０Ａ、抵抗７０Ｂ、グランドの順に所定電流値（本実施の形態では、数ｍＡ程度）の電流が流れてヒューズ素子７０Ａが切断されることはない。従って、この場合、電源ラインに基準電圧ＶＤＤが供給された状態で出力端子からハイ・レベルの信号が出力される。
【００６６】
このように、本実施の形態に係る駆動方向デフォルト設定・保存回路７０は、入力端子にハイ・レベルの信号を入力するか否かによって、出力端子から出力される信号のレベルを設定することができる。
【００６７】
次に、図６を参照して、本実施の形態に係るＦＷＡ記録ヘッド９０及び画像記録装置９８の構成を説明する。
【００６８】
同図に示すように、ＦＷＡ記録ヘッド９０は、複数個（ここでは、４個）のインクジェット記録ヘッド１０と、２つのパッド９２、９４と、を備えている。
【００６９】
各インクジェット記録ヘッド１０は、各インクジェット記録ヘッド１０に設けられている記録素子２２の配列方向が同一方向となり、かつ当該配列方向に直交する方向の位置が１個ずつ交互にずれるように千鳥配置されている。なお、以下では、便宜上、同図右端に位置されるインクジェット記録ヘッド１０を１段目のインクジェット記録ヘッド１０といい、同図右端から２番目に位置されるインクジェット記録ヘッド１０を２段目のインクジェット記録ヘッド１０といい、同図右端から３番目に位置されるインクジェット記録ヘッド１０を３段目のインクジェット記録ヘッド１０といい、同図左端に位置されるインクジェット記録ヘッド１０を４段目のインクジェット記録ヘッド１０という。
【００７０】
ＦＷＡ記録ヘッド９０を製造するに当たり、奇数段目として適用するインクジェット記録ヘッド１０は、駆動方向デフォルト設定・保存回路７０の入力端子にハイ・レベルの信号を入力することにより、当該駆動方向デフォルト設定・保存回路７０から駆動方向選択回路６０に対してロー・レベルの信号が入力されるようにデフォルト状態（初期状態）を設定する。これにより、奇数段目のインクジェット記録ヘッド１０における初期状態での画像データの転送方向を、偶数段目のインクジェット記録ヘッド１０と逆方向とすることができる。
【００７１】
そして、ＦＷＡ記録ヘッド９０では、奇数段目のインクジェット記録ヘッド１０を記録素子２２がシフトレジスタ４４より下側となり、偶数段目のインクジェット記録ヘッド１０を記録素子２２がシフトレジスタ４４より上側となるように、各インクジェット記録ヘッド１０を配置する。
【００７２】
このように各インクジェット記録ヘッド１０を配置することにより、各インクジェット記録ヘッド１０に設けられた記録素子２２の各記録ヘッド１０間の距離を小さくすることができ、記録画像の画質を向上させることができると共に、全てのインクジェット記録ヘッド１０で共通のＦＰＣを用いることができることから画像記録装置９８の製造コストを低減させることができる。
【００７３】
ここで、上述したように、奇数段目のインクジェット記録ヘッド１０については、初期状態での画像データの転送方向が偶数段目のインクジェット記録ヘッド１０と逆方向とされているので、全てのインクジェット記録ヘッド１０の初期状態での画像データの転送方向を同一方向に揃えることができる。
【００７４】
一方、１段目のインクジェット記録ヘッド１０のパッド８６はパッド９２に、４段目のインクジェット記録ヘッド１０のパッド８６はパッド９４に、各々接続されている。また、１段目のインクジェット記録ヘッド１０のパッド８０は２段目のインクジェット記録ヘッド１０のパッド８０に、２段目のインクジェット記録ヘッド１０のパッド８６は３段目のインクジェット記録ヘッド１０のパッド８６に、３段目のインクジェット記録ヘッド１０のパッド８０は４段目のインクジェット記録ヘッド１０のパッド８０に、各々接続されている。
【００７５】
ＦＷＡ記録ヘッド９０では、上述したように全てのインクジェット記録ヘッド１０の初期状態での画像データの転送方向を同一方向に揃えているので、各インクジェット記録ヘッド１０間の接続配線を、図１０に示した構成に比較して単純化することができる。
【００７６】
一方、本実施の形態に係る画像記録装置９８には、当該画像記録装置９８全体の動作を司る制御部９６が設けられている。
【００７７】
制御部９６は、ＦＷＡ記録ヘッド９０のパッド９２及びパッド９４に電気的に接続されており、記録すべき画像を示す画像データをシリアル画像データとしてパッド９２又はパッド９４に入力する。
【００７８】
また、制御部９６は、ＦＷＡ記録ヘッド９０に設けられている不図示の保持回路を介して各インクジェット記録ヘッド１０の駆動方向選択回路６０に電気的に接続されており、各駆動方向選択回路６０に対してシリアル画像データの転送方向を示す転送方向指示信号を入力する。
【００７９】
また、制御部９６は、各インクジェット記録ヘッド１０のイネーブル信号発生回路５０に電気的に接続されており、イネーブル信号発生回路５０の作動を制御する。更に、制御部９６は、各インクジェット記録ヘッド１０のラッチ４２に接続されており、各ラッチ４２にラッチ信号を入力することによって各ラッチ４２によるデータのラッチ動作を制御する。
【００８０】
一方、画像記録装置９８には、画像記録装置９８の各部における動作タイミングの基準となるクロック信号を発生する不図示のクロック信号発生回路が設けられており、制御部９６には当該クロック信号発生回路のクロック信号を出力する出力端子が接続されている。そして、制御部９６は、クロック信号発生回路から入力されたクロック信号に基づいて各部の作動を制御する。
【００８１】
次に、図７を参照して、本実施の形態に係る画像記録装置９８の動作を説明する。
【００８２】
同図に示すように、制御部９６は、画像データの送信に先立ち、クロック信号に同期して関係各部に各種設定信号を入力することにより、各種設定を行う。
【００８３】
ここで、当該設定にはＦＷＡ記録ヘッド９０におけるシリアル画像データの転送方向の設定が含まれており、制御部９６は、予め定められた当該転送方向を示すハイ・レベル又はロー・レベルの転送方向指示信号を上記保持回路に出力する。これによって上記保持回路は、当該転送方向指示信号を各インクジェット記録ヘッド１０の駆動方向選択回路６０に対する出力信号として保持する。
【００８４】
一方、駆動方向選択回路６０では、駆動方向デフォルト設定・保存回路７０から入力されている信号のレベルと、上記保持回路から入力されている信号のレベルの組み合わせに応じたセレクト信号を生成してシフトレジスタ４４、入出力回路８２、入出力回路８４の各々のセレクト端子ＳＥＬに入力する。なお、本実施の形態では、駆動方向デフォルト設定・保存回路７０から入力されている信号がハイ・レベルである場合に初期状態のシリアル画像データの転送方向としてパッド８０からパッド８６に向けた転送方向を、駆動方向デフォルト設定・保存回路７０から入力されている信号がロー・レベルである場合にシリアル画像データの初期状態の転送方向としてパッド８６からパッド８０に向けた転送方向を、各々設定するものとされている。そして、駆動方向選択回路６０は、上記保持回路から入力されている信号がハイ・レベルである場合はシリアル画像データの転送方向を当該初期状態のままとするセレクト信号を生成し、上記保持回路から入力されている信号がロー・レベルである場合はシリアル画像データの転送方向を当該初期状態の逆方向とするセレクト信号を生成して各部に出力する。
【００８５】
本実施の形態に係るインクジェット記録ヘッド１０では、上記のような駆動方向デフォルト設定・保存回路７０を備えることによって各インクジェット記録ヘッド１０によるシリアル画像データの転送方向を同一方向に揃えるようにしているので、制御部９６から各インクジェット記録ヘッド１０の駆動方向選択回路６０に入力する転送方向指示信号を単一のものとすることができ、簡易にＦＷＡ記録ヘッド９０におけるシリアル画像データの転送方向を切り換えることができる。
【００８６】
上記各種設定が終了すると、制御部９６は、各インクジェット記録ヘッド１０の各ラッチ４２に対して、データを保持することのできるラッチ信号（本実施の形態では、ハイ・レベルのラッチ信号）の入力を開始すると共に、パッド９２に対して、全ての記録素子２２に対応する画像データのシリアル入力をクロック信号に同期させて行う。これにより、記録素子２２の数と同数の画像データを入力した時点で、全てのシフトレジスタ４４に、対応する記録素子２２を駆動させるための画像データが保持された状態となるので、この時点で上記ラッチ信号を、各ラッチ４２がデータをラッチすることのできる状態（本実施の形態では、ロー・レベル）に切り換える。これによって各ラッチ４２には全ての記録素子２２に対応する画像データがラッチされる。
【００８７】
次に制御部９６は、上記ラッチ信号を、各ラッチ４２がデータを保持することのできる状態（本実施の形態では、ハイ・レベル）に切り換えて各ラッチ４２を保持状態にすると共に、パッド９２に対して、全ての記録素子２２に対応する次の画像データのシリアル入力をクロック信号に同期させて行う。
【００８８】
また、制御部９６は、当該画像データのシリアル入力と並行して、イネーブル信号発生回路５０に対し、各インクジェット記録ヘッド１０のプリドライバ回路３０における各プリドライバ３２に対してハイ・レベルのイネーブル信号を出力させる。これにより、各ラッチ４２に保持された画像データに応じて対応するドライバ２４のスイッチング状態が切り換えられ、これに応じて記録素子２２の作動が制御されて、制御部９６から入力された画像データに応じた画像が記録されることになる。
【００８９】
以上のシリアル画像データの入力及び当該画像データによる画像の記録動作を記録用紙１枚分の画像データについて繰り返し行うことにより、記録用紙１枚分の画像を記録することができる。
【００９０】
なお、記録用紙に対する両面印刷等のために、ＦＷＡ記録ヘッド９０におけるシリアル画像データの転送方向を逆転させる必要がある場合に、制御部９６は、転送方向指示信号の状態をそれまでと逆にする。これによって、各インクジェット記録ヘッド１０によるシリアル画像データの転送方向が逆方向となるように、一度に切り換えることができる。
【００９１】
以上詳細に説明したように、本実施の形態に係るインクジェット記録ヘッド１０では、各々記録する画像を示すシリアル画像データを入力する役割と当該シリアル画像データを出力する役割の２つの役割を有する２つのパッド８０、８６と、当該パッド８０、８６の何れか一方を介して入力されたシリアル画像データのシリアル転送を行い他方のパッドを介して出力すると共に、当該シリアル転送を行うことによってシリアル画像データを複数の記録素子２２を個別に駆動させるためのパラレル信号に変換して対応する記録素子２２側に供給するものとして構成された変換回路４０と、各々パッド８０及びパッド８６と変換回路４０の間に接続された入出力回路８２及び入出力回路８４と、を備えると共に、変換回路４０を、シリアル画像データの転送方向を一方向及び当該一方向の逆方向の何れか一方の方向に選択的に設定可能に構成し、かつ入出力回路８２及び入出力回路８４を、接続されたパッドを介して入力されたシリアル画像データを変換回路４０に入力させる役割と変換回路４０から出力されたシリアル画像データを当該パッドを介して出力させる役割の２つの役割を有し、当該２つの役割の何れか一方を選択的に設定可能に構成したので、接続配線の複雑化及び画像データを入力するための負荷の増大を防止することができる。
【００９２】
また、本実施の形態に係るインクジェット記録ヘッド１０では、変換回路４０を、各々複数の記録素子２２に対応すると共に直列接続された複数のシフトレジスタ４４によってシリアル画像データのシリアル転送を行うものとして構成すると共に、当該複数のシフトレジスタ４４を双方向転送可能なものとして構成したので、シフトレジスタとして一方向のみに転送可能なシフトレジスタを適用した場合に比較して、変換回路４０の構成を単純化することができる。
【００９３】
また、本実施の形態に係るインクジェット記録ヘッド１０では、変換回路４０におけるシリアル画像データの転送方向の初期状態を設定する駆動方向デフォルト設定・保存回路７０を備えているので、当該インクジェット記録ヘッド１０をカスケード接続して用いる場合に、カスケード接続後の各インクジェット記録ヘッド１０におけるシリアル画像データの転送方向の初期状態を予め同一方向に揃えておくことによって、当該カスケード接続されたインクジェット記録ヘッド１０によるシリアル画像データの転送方向を単一の信号（転送方向指示信号）のみによって逆転させることができるようになる。
【００９４】
一方、本実施の形態に係る画像記録装置９８では、以上のようなインクジェット記録ヘッド１０を、パッド８０、８６を介して複数個（ここでは、４個）カスケード接続して構成したＦＷＡ記録ヘッド９０を備えると共に、当該複数個のインクジェット記録ヘッド１０におけるシリアル画像データの転送方向が同一方向となるように各インクジェット記録ヘッド１０の変換回路４０におけるシリアル画像データの転送方向と、入出力回路８２及び入出力回路８４の役割と、を設定し、かつ設定したシリアル画像データの転送方向の最上流に位置するインクジェット記録ヘッド１０のカスケード接続されていないパッドに対してシリアル画像データを入力しているので、当該シリアル画像データを再配置し直すことなく入力することができ、ＦＷＡ記録ヘッド９０に対して画像データを入力する際の負荷の増大を防止することができる。
【００９５】
なお、本実施の形態では、本発明の画像記録ヘッドをピエゾ素子によりインク液滴を吐出することによって画像を記録するインクジェット記録ヘッドに適用した場合について説明したが、本発明はこれに限定されるものではなく、例えば、ヒータによる加熱によりインク液滴を吐出することによって画像を記録するインクジェット記録ヘッドに適用することもできる。この場合は、図１に示される記録素子２２として、ピエゾ素子に代えてヒータを適用することになる。この場合も、本実施の形態と同様の効果を奏することができる。
【００９６】
また、本実施の形態では、ＦＷＡ記録ヘッド９０に含まれる全てのインクジェット記録ヘッド１０をカスケード接続する場合について説明したが、本発明はこれに限定されるものではなく、例えば、インクジェット記録ヘッド１０を複数個ずつのグループに分け、各グループ毎にカスケード接続して、各グループ毎に並行してシリアル画像データを入力する形態とすることもできる。この場合、各グループ毎に画像データをシリアル入力するための接続線を設ける必要が生じるが、全ての画像データをシリアル入力する場合に比較して画像データの入力に費やされる時間を短時間化することができる。
【００９７】
また、本実施の形態では、複数のインクジェット記録ヘッド１０を千鳥配置することによりＦＷＡ記録ヘッド９０を構成する場合について説明したが、本発明はこれに限定されるものではなく、例えば、一例として図８に示すように、複数のインクジェット記録ヘッド１０を斜め配置することによりＦＷＡ記録ヘッド９０を構成する形態とすることもできる。この場合、シリアル画像データを入力するための負荷の増大を防止する効果は得られないものの、各インクジェット記録ヘッド１０間の接続配線を単純化できる効果は得ることができる。
【００９８】
また、本実施の形態で説明したインクジェット記録ヘッド１０の構成や画像記録装置９８の構成（図１〜図６参照。）は一例であり、本発明の主旨を逸脱しない範囲内において適宜変更可能であることは言うまでもない。
【００９９】
例えば、図１では、ドライバ２４として伝送ゲートを適用した場合について示したが、当該伝送ゲートに代えて高耐圧ＦＥＴを適用してもよい。この場合も、本実施の形態と同様の効果を奏することができる。
【０１００】
更に、本実施の形態で示したタイムチャート（図７参照。）も一例であり、本発明の主旨を逸脱しない範囲内において適宜変更可能であることは言うまでもない。
【図面の簡単な説明】
【０１０１】
【図１】実施の形態に係るインクジェット記録ヘッド１０の構成を示すブロック図（一部回路図）である。
【図２】実施の形態に係るシフトレジスタ４４の接続状態を示す回路図である。
【図３】実施の形態に係るシフトレジスタ４４の内部構成を示す回路図である。
【図４】実施の形態に係る入出力回路８２の内部構成を示す回路図である。
【図５】実施の形態に係る駆動方向デフォルト設定・保存回路７０の内部構成を示す回路図である。
【図６】実施の形態に係るＦＷＡ記録ヘッド９０及び画像記録装置９８の構成を示す概略図である。
【図７】実施の形態に係る画像記録装置９８の動作の説明に供するタイムチャートである。
【図８】ＦＷＡ記録ヘッドの他の形態例を示す概略図である。
【図９】ＦＷＡ記録ヘッドの従来の構成例を示す概略図である。
【図１０】従来のＦＷＡ記録ヘッドの内部構成例を示す概略図である。
【符号の説明】
【０１０２】
１０    インクジェット記録ヘッド
２２    記録素子
４０    変換回路
４２    ラッチ
４４    シフトレジスタ
５０    イネーブル信号発生回路
６０    駆動方向選択回路
７０    駆動方向デフォルト設定・保存回路（設定回路）
８０    パッド（入出力部）
８２    入出力回路
８４    入出力回路
８６    パッド（入出力部）
９０    ＦＷＡ記録ヘッド（統合記録ヘッド）
９６    制御部（転送方向設定手段、画像入力手段）
９８    画像記録装置
【図１】
2005199460.tif 000003
【図２】
2005199460.tif 000004
【図３】
2005199460.tif 000005
【図４】
2005199460.tif 000006
【図５】
2005199460.tif 000007
【図６】
2005199460.tif 000008
【図７】
2005199460.tif 000009
【図８】
2005199460.tif 000010
【図９】
2005199460.tif 000011
【図１０】
2005199460.tif 000012